(57)【要約】【課題】モバイル通信プラットフォームが異質プラットフォームに跨るマルチメディア伝送システムを提供する。【解決手段】モバイル通信プラットフォームが異質プラットフォームに跨るマルチメディア伝送システムは、識別コードを有するモバイル通信装置１と、識別コードを有するマルチメディア表示装置３と、サービスコードおよび第一ユーザーデータベース４１を有する管理サーバー４と、第二ユーザーデータベース６１を有するミドルウェアサーバー６とを備える。【選択図】  図１
2009284460.tif 000002
【特許請求の範囲】
【請求項１】
識別コードを有するモバイル通信装置と、識別コードを有するマルチメディア表示装置と、サービスコードおよび第一ユーザーデータベースを有する管理サーバーと、第二ユーザーデータベースを有するミドルウェアサーバーとを備え、
前記マルチメディア表示装置は、内部にデータ処理ユニット、表示モジュール、保存ユニット及びネットワーク接続装置が内蔵され、前記ネットワーク接続装置はネットワークとの接続に用いられ、前記表示モジュール、前記保存ユニットおよび前記ネットワーク接続装置は前記データ処理ユニットに電気的に接続され、
前記管理サーバーの前記第一ユーザーデータベースは、前記モバイル通信装置の前記識別コードと、前記マルチメディア表示装置の前記識別コードと、前記リモートサーバーに接続される対応データとを保存するため、前記モバイル通信装置が前記サービスコードに従って電信交換システムを介してマルチメディアデータを前記管理サーバーに伝送すると、前記管理サーバーは前記識別コードを判読し、そののち前記第一ユーザーデータベースのうちの前記リモートサーバーに接続される前記対応データにより、受信した前記マルチメディアデータを前記リモートサーバーに伝送することが可能であり、
前記ミドルウェアサーバーの前記第二ユーザーデータベースは、前記マルチメディア表示装置の前記識別コードと、前記リモートサーバーに接続される対応データと、ユーザーの相関データとを保存するため、前記ミドルウェアサーバーと前記リモートサーバーとは互いに自動的に接続され、
前記マルチメディア表示装置が前記ミドルウェアサーバーに接続され、前記ミドルウェアサーバーが前記識別コードを判読すると、前記マルチメディア表示装置は、前記第二ユーザーデータベースのうちの前記リモートサーバーに接続される前記対応データにより、前記リモートサーバーに接続され、そして前記リモートサーバー上の対応する前記マルチメディアデータを前記保存ユニットに回送、保存し、そののち前記表示モジュールによって表示することを特徴とするモバイル通信プラットフォームが異質プラットフォームに跨るマルチメディア伝送システム。
【請求項２】
前記第一ユーザーデータベースおよび前記第二ユーザーデータベースは、一つ以上のデータを保存可能であることを特徴とする請求項１に記載のモバイル通信プラットフォームが異質プラットフォームに跨るマルチメディア伝送システム。
【請求項３】
前記リモートサーバーは、保存装置またはサーバーによって管理される保存装置であることを特徴とする請求項１に記載のモバイル通信プラットフォームが異質プラットフォームに跨るマルチメディア伝送システム。
【請求項４】
前記リモートサーバーの前記保存装置は、ネットワーク上の保存空間、ブロックまたはネットワーク上のアルバムまたは個人の画像音声データベースのいずれか一つであることを特徴とする請求項３に記載のモバイル通信プラットフォームが異質プラットフォームに跨るマルチメディア伝送システム。
【請求項５】
前記リモートサーバーは、一般のウェブサイドが業者または個人に提供しているネットワークサーバーであることを特徴とする請求項１に記載のモバイル通信プラットフォームが異質プラットフォームに跨るマルチメディア伝送システム。
【請求項６】
ウェブブラウザによって前記第一ユーザーデータベースに保存されている内容を検索、設定するため、前記管理サーバーは内部に操作インターフェースが増設されることを特徴とする請求項１に記載のモバイル通信プラットフォームが異質プラットフォームに跨るマルチメディア伝送システム。
【請求項７】
前記管理サーバーは、さらに保存装置が増設され、前記管理サーバーは伝送したいマルチメディアデータを前記保存装置に保存し、保存した前記マルチメディアデータに接続する対応データを前記ミドルウェアサーバーに伝送し、そして前記第二ユーザーデータベースに保存することが可能であることを特徴とする請求項１に記載のモバイル通信プラットフォームが異質プラットフォームに跨るマルチメディア伝送システム。
【発明の詳細な説明】
【技術分野】
【０００１】
本発明は、マルチメディア伝送システム、詳しくは、モバイル通信プラットフォームが異質プラットフォームに跨るマルチメディア伝送システムに関するものである。
【背景技術】
【０００２】
携帯電話などのモバイル通信装置は、通話機能および文字メッセージ伝送機能を有するが、マルチメディアデータが汎用される環境下で新サービスおよび変化を求める消費者のニーズを満足させることはできなくなるため、近年、マルチメディアメッセージサービス（ＭＭＳ）機能またはマルチメディアメール送受信機能が発展してきた。従って、使用者は友人同士でマルチメディアデータを即時共有することが可能である。
【発明の開示】
【発明が解決しようとする課題】
【０００３】
しかしながら、この共有方法は携帯電話などのモバイル通信装置間に限られているため、如何に様々な異なるマルチメディア表示装置にデータを共有させるかということが、本発明が解決しようとする課題となる。
本発明の主な目的は、上述した問題を解決するため、モバイル通信プラットフォームが異質プラットフォームに跨るマルチメディア伝送システムを提供することにより、モバイル通信装置が簡単なマルチメディアデータ送受信方法によって共有したい指定マルチメディアデータをマルチメディア表示装置に転送することを実現させることである。
【課題を解決するための手段】
【０００４】
本発明によるモバイル通信プラットフォームが異質プラットフォームに跨るマルチメディア伝送システムは、識別コードを有するモバイル通信装置と、識別コードを有するマルチメディア表示装置と、サービスコードおよび第一ユーザーデータベースを有する管理サーバーと、第二ユーザーデータベースを有するミドルウェアサーバーとを備える。マルチメディア表示装置は、内部にデータ処理ユニット、表示モジュール、保存ユニット及びネットワーク接続装置が内蔵される。ネットワーク接続装置は、ネットワークとの接続に用いられる。表示モジュール、保存ユニットおよびネットワーク接続装置は、データ処理ユニットに電気的に接続される。管理サーバーの第一ユーザーデータベースは、モバイル通信装置の識別コードと、マルチメディア表示装置の識別コードと、リモートサーバーに接続される対応データとを保存するため、モバイル通信装置がサービスコードに従って電信交換システムを介してマルチメディアデータを管理サーバーに伝送すると、管理サーバーは識別コードを判読し、そののち第一ユーザーデータベースのうちのリモートサーバーに接続される対応データにより、受信したマルチメディアデータを前記リモートサーバーに伝送することが可能である。ミドルウェアサーバーの第二ユーザーデータベースは、マルチメディア表示装置の識別コードと、リモートサーバーに接続される対応データと、ユーザーの相関データとを保存するため、ミドルウェアサーバーとリモートサーバーとは互いに自動的に接続される。マルチメディア表示装置がミドルウェアサーバーに接続され、ミドルウェアサーバーが識別コードを判読すると、マルチメディア表示装置は、第二ユーザーデータベースのうちのリモートサーバーに接続される対応データにより、リモートサーバーに接続され、そしてリモートサーバー上の対応するマルチメディアデータを前記保存ユニットに回送、保存し、そののち表示モジュールによって表示する。
【発明を実施するための最良の形態】
【０００５】
以下、本発明によるモバイル通信プラットフォームが異質プラットフォームに跨るマルチメディア伝送システムの実施の形態を図面に基づいて説明する。
図１と図２は、本発明の実施形態の構造を説明するための一例であるため、この実施形態に請求範囲が制限されるものではない。
【０００６】
（第１実施形態）
図１に示すように、第１実施形態によるモバイル通信プラットフォームが異質プラットフォームに跨るマルチメディア伝送システムは、モバイル通信装置１、マルチメディア表示装置３、管理サーバー４およびミドルウェアサーバー６を備える。
【０００７】
モバイル通信装置１は、識別コードを有し、識別コードは、モバイル通信装置１と電信交換システム２との間の接続に用いられる。モバイル通信装置１は、一般的な携帯電話とすることが可能であり、識別コードは、即ち携帯電話の番号（Ｐｈｏｎｅ  ｎｕｍｂｅｒ、図１においては、「０９１１−ＸＸＸＸＸＸ」として示した。）である。モバイル通信装置１は、携帯電話の番号を入力することによって電信交換システム２に接続し、そののち後続動作を進める。
【０００８】
マルチメディア表示装置３は、識別コード（図１においては、「ＩＤ−Ａ」として示した。）を有する。マルチメディア表示装置３は、内部にデータ処理ユニット、表示モジュール、保存ユニット及びネットワーク接続装置（図中未表示）が内蔵される。ネットワーク接続装置は、ネットワークとの接続に用いられ、表示モジュール、保存ユニットおよびネットワーク接続装置は、データ処理ユニットに電気的に接続される。
【０００９】
管理サーバー４は、サービスコードを有し、サービスコードは、モバイル通信装置１と管理サーバー４との間の接続に用いられる。かつサービスコードは、モバイル通信装置１が入力方式によって執行するサービスコードである。図１においては、一例として、サービスコードは「８８１３２」であるものとする。管理サーバー４は、第一ユーザーデータベース４１を有する。第一ユーザーデータベース４１はモバイル通信装置１の識別コードと、マルチメディア表示装置３の識別コードと、リモートサーバー５に接続される対応データとを保存する。
【００１０】
第１実施形態において、リモートサーバー５は、保存装置であるだけでなく、サーバーによって管理される保存装置または一般のウェブサイドが業者か個人に提供しているネットワークサーバーとなることも可能である。リモートサーバー５の保存装置は、ネットワーク上の保存空間、ブロックまたはネットワーク上のアルバムまたは個人の画像音声データベースなどのいずれか一つである。
【００１１】
ミドルウェアサーバー６は、第二ユーザーデータベース６１を有する。第二ユーザーデータベース６１は、マルチメディア表示装置３の識別コードと、リモートサーバー５に接続される対応データと、ユーザーの相関データとを保存するため、ミドルウェアサーバー６とリモートサーバー５とは互いに自動的に接続される。
【００１２】
モバイル通信装置１は、サービスコードに従って電信交換システム２を介してマルチメディアデータを管理サーバー４に伝送する。管理サーバー４は、識別コードを判読し、そののち第一ユーザーデータベース４１のうちのリモートサーバー５に接続される対応データにより、受信したマルチメディアデータを所定のリモートサーバー５に伝送する。
【００１３】
マルチメディア表示装置３がミドルウェアサーバー６に接続され、ミドルウェアサーバー６が識別コードを判読した後、マルチメディア表示装置３は、第二ユーザーデータベース６１のうちのリモートサーバー５に接続される対応データにより、所定のリモートサーバー５に接続され、そしてリモートサーバー５上の対応するマルチメディアデータを保存ユニットに回送、保存し、そののち表示モジュールによって表示する。第１実施形態において、ミドルウェアサーバー６は一つ以上のユーザーデータベースを有することが可能である。
【００１４】
モバイル通信装置１によって管理サーバー４に接続し、ダウンロードしたい画像のインターネット上の存在場所（図１においては、「ＵＲＬ−Ａ」で示した。）およびマルチメディア表示装置３の識別コード（「ＩＤ−Ａ」）をミドルウェアサーバー６に伝送すれば、識別コードに対応するマルチメディア表示装置３は画像のインターネット上の存在場所から画像をダウンロードするため、モバイル通信装置１はサービスコードに従って簡単な操作を行い、管理サーバー４およびミドルウェアサーバー６を介して画像ウェブサイド上の指定画像をマルチメディア表示装置３にダウンロードすることが可能である。
【００１５】
上述したとおり、本発明は、一般のモバイル通信装置１によってモバイル通信プラットフォームが異質プラットフォームに跨ることを実現させる、即ちモバイル通信装置１を媒介とし、通信標的のサービスコードに従って簡単な操作を行うことによって共有したい指定マルチメディアデータをマルチメディア表示装置３に伝送し、かつモバイル通信装置間ないし別のプラットフォームにおいてモバイル通信装置の通信機能を管理することを実現させる。
【００１６】
（第２実施形態）
図２に示すように、第２実施形態は、第１実施形態の一部分を変化させるのみであり、ウェブブラウザによって第一ユーザーデータベース４１に保存されている内容を検索、設定するため、管理サーバー４に操作インターフェース４２を増設する。
【００１７】
管理サーバー４は、さらに保存装置４３が増設されるため、管理サーバー４は伝送したいマルチメディアデータを保存装置４３に保存し、保存したマルチメディアデータに接続する対応データをミドルウェアサーバー６に伝送し、そして第二ユーザーデータベース６１に保存することが可能である。
【図面の簡単な説明】
【００１８】
【図１】本発明の第１実施形態によるモバイル通信プラットフォームが異質プラットフォームに跨るマルチメディア伝送システムのプロセスを示す模式図である。
【図２】本発明の第２実施形態によるモバイル通信プラットフォームが異質プラットフォームに跨るマルチメディア伝送システムのプロセスを示す模式図である。
【符号の説明】
【００１９】
１：モバイル通信装置、  ２：電信交換システム、  ３：マルチメディア表示装置、  ４：管理サーバー、  ４１：第一ユーザーデータベース、  ４２：操作インターフェース、  ４３：保存装置、  ５：リモートサーバー、  ６：ミドルウェアサーバー、  ６１：第二ユーザーデータベース
【図１】
2009284460.tif 000003
【図２】
2009284460.tif 000004